(57)【要約】【課題】経時により寸法が変化しにくく、軸筒とキャップの嵌合力が低下しにくく、嵌合不足を発生しないキャップ式筆記具を提供する。【解決手段】軸筒の外壁又はキャップの内壁に、複数の突部を周上に形成し、該突部に対向するキャップの内壁又は軸筒の外壁に、前記突部を乗り越え可能な周方向に連続した凸部を形成し、軸筒にキャップを着脱自在に装着してなるキャップ式筆記具において、前記キャップの内壁又は軸筒の外壁に形成した凸部に、前記突部の周方向における幅より小さい間隙部を形成する。【選択図】        図１
2004338314.tif 000002
【特許請求の範囲】
【請求項１】
軸筒の外壁又はキャップの内壁に、複数の突部を周上に形成し、該突部に対向するキャップの内壁又は軸筒の外壁に、前記突部を乗り越え可能な周方向に連続した凸部を形成し、軸筒にキャップを着脱自在に装着してなるキャップ式筆記具において、前記キャップの内壁又は軸筒の外壁に形成した凸部に、前記突部の周方向における幅より小さい間隙部を形成したことを特徴とするキャップ式筆記具。
【請求項２】
前記軸筒の外径が、前記キャップの内壁に形成した、突部又は凸部の内径より大きいことを特徴とする請求項１に記載のキャップ式筆記具。
【発明の詳細な説明】
【０００１】
【発明の属する技術分野】
本発明は、軸筒にキャップを着脱自在に装着してなるキャップ式筆記具に関する。
【０００２】
【従来の技術】
従来から、軸筒の外壁又はキャップの内壁に複数の突部を周上に形成し、この突部に対応する周方向に連続した凸部をキャップの内壁又は軸筒の外壁に形成してなる筆記具はよく知られていて、特開平１１−２０８１８５号「筆記具における着脱自在な２部品の嵌合構造」にて開示されている。
【０００３】
こうした筆記具は、キャップの内壁又は軸筒の外壁に周方向に連続した凸部を形成してあるため、径方向に弾性変形し難く、複数の突部を形成した軸筒又はキャップ側を弾性変形しやすくすることによって、軸筒又はキャップ側のどちらか一方のクラックの発生を防止し、さらに軸筒とキャップの嵌合力の低下を防止していた。
【０００４】
【特許文献１】
「特開平１１−２０８１８５号公報」
【０００５】
【発明が解決しようとする課題】
しかし、どちらか一方の部材、例えば軸筒側のみが弾性変形するだけの嵌合方法では、経時によって寸法変化が生じやすく、その結果、軸筒とキャップの嵌合力が低下してしまう恐れがあった。また、キャップの内壁に形成した連続した凸部と、軸筒の外壁に形成した突部の乗り越し嵌合の前に、キャップの内壁に形成した凸部と軸筒が圧入状態になってしまうと、キャップ内の空気が圧縮され、筆記体に悪影響を及ぼしたり、ある程度、空気が圧縮すると、通常の力では嵌合できず、嵌合不足を起こす恐れがあった。軸筒の後部にキャップを嵌合する時も同様である。
【０００６】
本発明は上記問題を鑑み、経時により寸法が変化しにくく、軸筒とキャップの嵌合力が低下しにくく、嵌合不足を発生しないキャップ式筆記具を提供するものである。
【０００７】
【課題を解決するための手段】
前記目的を達成するために本発明では、軸筒の外壁又はキャップの内壁に、複数の突部を周上に形成し、該突部に対向するキャップの内壁又は軸筒の外壁に、前記突部を乗り越え可能な周方向に連続した凸部を形成し、軸筒にキャップを着脱自在に装着してなるキャップ式筆記具において、前記キャップの内壁又は軸筒の外壁に形成した凸部に、前記突部の周方向における幅より小さい間隙部を形成する。
【０００８】
また、前記軸筒の外径が、前記キャップの内壁に形成した、突部又は凸部の内径より大きくする。
【０００９】
【発明の実施の形態】
本発明の実施の形態を、図面を用いて説明する。
図１から図３に示すキャップ式筆記具１は、図示はしていないが、インキ収容筒の先端部に、ボールを回転自在に抱持したボールペンチップからなるペン先部５を装着したボールペンレフィルを軸筒２内に収容してある。キャップ６には、ペン先部５の先端を密閉する弾性体１０を配設し、軸筒２の外壁に形成した複数の突部３と、キャップ６の内壁に形成した凸部７を乗り越え嵌合することにより、軸筒２に対し、キャップ６を着脱自在に装着してなるキャップ式の筆記具である。
【００１０】
キャップ６の内壁に形成した凸部７には、軸筒２の外壁に形成した複数の突部３の周方向における長さＨより短い長さＬの間隙部８（Ｈ＞Ｌ）を形成してある。また、キャップ６にはクリップ９を一体に形成し、軸筒２の把持部には、滑り止めのための凹凸部４を形成してある。
【００１１】
キャップ６の内壁に形成した凸部７に、軸筒２の外壁に形成した複数の突部３の周方向における長さＨより短い長さＬの間隙部８（Ｈ＞Ｌ）を形成することにより、軸筒２にキャップ６を嵌合する時に、キャップ６の内壁に形成した凸部７が周上に連続している状態よりもキャップ５が外側（図１の矢印Ａ方向）に弾性変形しやすい。
【００１２】
また図２に示すように、キャップ６の内壁に形成した凸部７の内径Ｎが、軸筒２の外径Ｍより小さい場合（Ｎ＜Ｍ）には、キャップ６の内壁に形成した凸部７と軸筒２の外壁に形成した突部３の乗り越し嵌合の前に圧入状態になってしまうが、キャップ６内の空気Ｋは間隙部８から外方に逃げるので、嵌合状態（矢印Ｂ方向）に進んでいっても、空気Ｋが圧縮されることがなく、前述した嵌合不足を起こすことがない。
【００１３】
また、凸部７の間隙部８の周方向における長さＬが、突部３の周方向における長さＨより長く（Ｈ＜Ｌ）なってしまうと、凸部７の間隙部８と突部３が重複せず、嵌合力が低下してしまう。
【００１４】
また、図４、図５に示す第２の実施の形態のキャップ式筆記具２１は、キャップ２５の内壁に複数の突部２６を形成し、対向する軸筒２２の外壁に周上に、且つ突部２６の周方向における幅Ｈ’より小さい幅Ｌ’の間隙部２４を形成した周上の凸部２３を形成してある以外は、第１の実施の形態と同様にして得ている。
【００１５】
キャップ２５の内壁に形成した突部２６と、対向する軸筒２２の外壁に形成した凸部２３が乗り越える時には、間隙部２４によって軸筒２２が内側（図４の矢印Ｂ方向）に弾性変形しやすく、キャップ２５内の空気Ｋ’は間隙部２４から外方に逃げることができる。
【００１６】
本実施例では、便宜上、筆記体としてボールペンレフィルを用いたが、ペン先部の材質や形状、使用する筆記具用インキ等に限定されることなく用いることができる。
【００１７】
【発明の効果】
本発明は、前述した構成なので、経時により寸法が変化しにくく、軸筒とキャップの嵌合力が低下しにくく、嵌合不足を発生しないキャップ式筆記具を提供することができた。
【図面の簡単な説明】
【図１】第１の実施の形態のキャップ式筆記具を示す、一部省略した縦断面図である。
【図２】図１におけるキャップ外した装着した状態の、一部省略した縦断面図である。
【図３】キャップの凸部と軸筒の突部の嵌合前の状態を示す、一部省略した縦断面図である。
【図４】第２の実施の形態のキャップ式筆記具を示す、一部省略した縦断面図である。
【図５】図４におけるキャップ外した装着した状態の、一部省略した縦断面図である。
【符号の説明】
１、２１  キャップ式筆記具
２、２２  軸筒
３、２６  突部
４  凹凸部
５  ペン先部
６、２５  キャップ
７、２３  凸部
８、２４  間隙部
９  クリップ
１０  弾性体
Ｈ、Ｈ’  突部の周方向の長さ
Ｌ、Ｌ’  間隙部の周方向の長さ
Ｍ  軸筒の外径
Ｎ  凸部の内径
【図１】
2004338314.tif 000003
【図２】
2004338314.tif 000004
【図３】
2004338314.tif 000005
【図４】
2004338314.tif 000006
【図５】
2004338314.tif 000007